(57)【要約】【課題】  複数の支脚同士を連結部材で連結してテーブル天板を支持する脚装置において、天板下の空間を広く確保するとともに、使用者の足と可能な限り干渉しないような支脚形状としたテーブルの脚装置及びテーブルを提供する。【解決手段】  複数の支脚１で天板３を支持するテーブルの脚装置であって、支脚１は、上部が外側へ傾斜した中間支脚４と、該中間支脚の上下端部からそれぞれ同じ側に延設し、下向き傾斜した下支脚５と上向き傾斜した上支脚６とを有し、下支脚の先端部に床面に接地する接地部７を設けるとともに、上支脚の先端部に天板３を連結する支持部８を設けてなる。【選択図】        図１
2014045866.tif 000002
【特許請求の範囲】
【請求項１】
複数の支脚で天板を支持するテーブルの脚装置であって、前記支脚は、上部が外側へ傾斜した中間支脚と、該中間支脚の上下端部からそれぞれ同じ側に延設し、下向き傾斜した下支脚と上向き傾斜した上支脚とを有し、前記下支脚の先端部に床面に接地する接地部を設けるとともに、前記上支脚の先端部に前記天板を連結する支持部を設けてなることを特徴とするテーブルの脚装置。
【請求項２】
前記中間支脚の鉛直線に対する角度を５〜１５度とし、前記下支脚の水平線に対する角度を５〜１５度とし、前記上支脚の水平線に対する角度を５〜１５度に設定してなる請求項１記載のテーブルの脚装置。
【請求項３】
前記中間支脚と下支脚のなす角度を８５〜９５度に設定してなる請求項１又は２記載のテーブルの脚装置。
【請求項４】
前記中間支脚の下端部若しくは前記下支脚の後端部と床面との距離を７０〜１００ｍｍに設定してなる請求項１〜３何れか１項に記載のテーブルの脚装置。
【請求項５】
複数の前記支脚同士を連結して天板を支持する場合、前記中間支脚同士を連結部材で連結するとともに、前記上支脚の先端部同士をビーム部材で連結してなる請求項１〜４何れか１項に記載のテーブルの脚装置。
【請求項６】
請求項１〜５何れか１項に記載のテーブルの脚装置を用い、各支脚の下支脚と上支脚を外向きに配向して配置し、該上支脚に有する支持部に天板の下面を載置して取付けてなることを特徴とするテーブル。
【発明の詳細な説明】
【技術分野】
【０００１】
本発明は、テーブルの脚装置及びテーブルに関するものである。
【背景技術】
【０００２】
従来から、アルミダイカスト製の支脚を複数対用い、それらを連結部材で連結して脚装置を形成し、それに天板を載置して取付けてテーブルを構成する構造のものは各種提供されている。
【０００３】
特許文献１には、下部の内面及び下面に螺孔が形成された略垂直棒状の中間支脚、並びに、該中間支脚の上部から上外方へ延び、上端に天板を受ける受座が取付けられる棒状の上支脚、及び、該中間支脚の下部から下外方へ延びて接地する棒状の下支脚を一体形成してなる支脚の２個に、これらの前記螺孔を用いて、一体に形成又は複数の部品を連結して形成された支脚間連結体を取付けて支脚対とし、該支脚対を複数配設すると共に、前記支脚間連結体にビーム連結部を設けて該ビーム連結部間を支脚対間連結ビームにより連結してなるテーブル用脚装置が記載されている。
【０００４】
この特許文献１に記載の支脚は、該支脚の高さの略半分に相当する垂直な中間支脚の下端から下支脚が床面に向けて傾斜して延びている。前記下支脚は、床面に対して約５０度の角度に立ち上がった形状となっているため、天板下の空間で下支脚を越えて足を移動させることは困難である。
【先行技術文献】
【特許文献】
【０００５】
【特許文献１】特許第４４５７８５１号公報
【発明の概要】
【発明が解決しようとする課題】
【０００６】
そこで、本発明が前述の状況に鑑み、解決しようとするところは、複数の支脚同士を連結部材で連結してテーブル天板を支持する脚装置において、天板下の空間を広く確保するとともに、使用者の足と可能な限り干渉しないような支脚形状としたテーブルの脚装置及びテーブルを提供する点にある。
【課題を解決するための手段】
【０００７】
本発明は、前述の課題解決のために、複数の支脚で天板を支持するテーブルの脚装置であって、前記支脚は、上部が外側へ傾斜した中間支脚と、該中間支脚の上下端部からそれぞれ同じ側に延設し、下向き傾斜した下支脚と上向き傾斜した上支脚とを有し、前記下支脚の先端部に床面に接地する接地部を設けるとともに、前記上支脚の先端部に前記天板を連結する支持部を設けてなることを特徴とするテーブルの脚装置を構成した（請求項１）。
【０００８】
ここで、前記中間支脚の鉛直線に対する角度を５〜１５度とし、前記下支脚の水平線に対する角度を５〜１５度とし、前記上支脚の水平線に対する角度を５〜１５度に設定してなることが好ましい（請求項２）。
【０００９】
更に、前記中間支脚と下支脚のなす角度を８５〜９５度に設定してなることも好ましい（請求項３）。
【００１０】
また、前記中間支脚の下端部若しくは前記下支脚の後端部と床面との距離を７０〜１００ｍｍに設定してなることも好ましい（請求項４）。
【００１１】
そして、複数の前記支脚同士を連結して天板を支持する場合、前記中間支脚同士を連結部材で連結するとともに、前記上支脚の先端部同士をビーム部材で連結してなるのである（請求項５）。
【００１２】
また、本発明は、前述のテーブルの脚装置を用い、各支脚の下支脚と上支脚を外向きに配向して配置し、該上支脚に有する支持部に天板の下面を載置して取付けてなることを特徴とするテーブルを構成した（請求項６）。
【発明の効果】
【００１３】
以上にしてなる本発明のテーブルの脚装置及びテーブルは、複数の支脚で天板を支持するテーブルの脚装置において、前記支脚は、上部が外側へ傾斜した中間支脚と、該中間支脚の上下端部からそれぞれ同じ側に延設し、下向き傾斜した下支脚と上向き傾斜した上支脚とを有し、前記下支脚の先端部に床面に接地する接地部を設けるとともに、前記上支脚の先端部に前記天板を連結する支持部を設けてなるので、天板下方の足入れ空間が広くなり、またテーブルの前に着座したままで使用者の足が下向き傾斜した下支脚の上を左右方向に通過でき、またつま先が下支脚の後部下方に侵入でき、使用者の足の置き位置及び足の動作に対する干渉が少なくなる。
【００１４】
特に、前記中間支脚の鉛直線に対する角度を５〜１５度とし、前記下支脚の水平線に対する角度を５〜１５度とし、前記上支脚の水平線に対する角度を５〜１５度に設定し、また前記中間支脚と下支脚のなす角度を８５〜９５度に設定することで、支脚の強度を維持しながら、人間工学的に着座者の足との干渉を最小限にすることができる。
【００１５】
また、前記中間支脚の下端部若しくは前記下支脚の後端部と床面との距離を７０〜１００ｍｍに設定してなることにより、下支脚の後部下方につま先を侵入させ得る空間を設けることができる。
【００１６】
また、複数の前記支脚同士を連結して天板を支持する場合、前記中間支脚同士を連結部材で連結とするとともに、前記上支脚の先端部同士をビーム部材で連結してなると、隣接する支脚同士が強固に連結されて構造的に強い脚構造となり、各支脚の上支脚の先端部に設けた支持部に前記天板を連結することで、天板の支持強度が高くなり、安定した剛構造のテーブルとなる。
【図面の簡単な説明】
【００１７】
【図１】本発明に係る脚装置を構成する支脚の側面図である。
【図２】本発明に係るテーブルの上方から見た斜視図である。
【図３】同じくテーブルの下方から見た斜視図である。
【図４】同じくテーブルの正面図である。
【図５】同じくテーブルの側面図である。
【図６】同じくテーブルの底面図である。
【発明を実施するための形態】
【００１８】
次に、添付図面に示した実施形態に基づき、本発明を更に詳細に説明する。図１は支脚の構造を島氏、図２〜図６はテーブルを示し、図中符号１は支脚、２は連結部材、３は天板、４は中間支脚、５は下支脚、６は上支脚をそれぞれ示している。
【００１９】
本発明に係るテーブルの脚装置は、複数の支脚１，…同士を連結部材２で連結して天板３を支持するテーブルの脚装置であって、前記支脚１は、上部が外側へ傾斜した中間支脚４と、該中間支脚４の上下端部からそれぞれ同じ側に延設し、下向き傾斜した下支脚５と上向き傾斜した上支脚６とを有し、前記下支脚５の先端部に床面に接地する接地部７を設けるとともに、前記上支脚６の先端部に前記天板３を連結する支持部８を設けてなるものである。そして、本発明に係るテーブルは、各支脚１の下支脚５と上支脚６を外向きに配向して配置し、該上支脚６に有する支持部８に天板３の下面を載置して取付けた構造である。尚、前記連結部材２は省略することもある。
【００２０】
ここで、複数の支脚１，…同士を連結する場合、図１〜図６に示すように、前記中間支脚４，４同士を連結部材２で連結するとともに、前記上支脚６，６の先端部同士をビーム部材９で連結している。そして、前記ビーム部材９の適所を天板３の下面にネジ止めしている。前記ビーム部材９は、各支脚１，…同士を連結して剛性の高い脚構造とするとともに、前記天板３の下面を載支して該天板３の撓みを防止する働きをする。
【００２１】
更に詳しくは、前記支脚１は、アルミニウム、マグネシウム若しくは亜鉛等の好ましくは軽合金のダイカストによって作製されている。前記支脚１の中間支脚４、下支脚５及び上支脚６は別々に作製して連結一体化しても良いが、全て一体的にダイカストで作製することが、部品点数が少なく、また工数が少なくなるので好ましい。本実施形態では、前記支脚１は、アルミダイカストで一体形成している。
【００２２】
前記中間支脚４の背面の上下中間部には、前記連結部材２を構成する連結アーム１０がネジ止めされ、隣接する支脚１，１の各連結アーム１０，１０同士は同じく前記連結部材２を構成する端部がＴ字形状をなす連結杆１１にネジ止め連結される。前記連結杆１１は、長尺の主パイプ１１Ａの両端に短い副パイプ１１Ｂを平面視Ｔ字状になるように溶接し、副パイプ１１Ｂの両端に前記連結アーム１０をネジ止め連結できるようになっている。前記連結杆１１の主パイプ１１Ａと副パイプ１１Ｂの長さを変えることにより、各種寸法のテーブルに対応できるようになっている。主パイプ１１Ａの長さはテーブルの長尺方向の長さに対応し、副パイプ１１Ｂの長さはテーブルの奥行幅に対応して決定される。予め、複数種類の連結杆１１を用意しておけば、形状の異なる天板３と組み合わせて、複数種のテーブルを構成できる。
【００２３】
具体的には、図１に示すように、前記中間支脚４の鉛直線Ｖに対する角度αを５〜１５度とし、前記下支脚５の水平線Ｈ１に対する角度βを５〜１５度とし、前記上支脚６の水平線Ｈ２に対する角度γを５〜１５度に設定することが好ましい。ここで、水平線Ｈ１は床面に対応し、水平線Ｈ２は天板３に対応する。また、前記中間支脚４と下支脚５のなす角度δを８５〜９５度に設定することが好ましい。そして、前記中間支脚４の下端部若しくは前記下支脚５の後端部と床面Ｈ１との距離ｈを７０〜１００ｍｍに設定することが好ましい。
【００２４】
本実施形態では、α＝１０度、β＝１０度、γ＝１０度、δ＝９０度であり、ｈ＝８３ｍｍとしている。
【００２５】
先ず、前記中間支脚４の鉛直線Ｖに対する角度αは、人間工学的に椅子に自然に着座した人の膝とつま先を結ぶ直線の傾きに対応している。前記中間支脚４を上部が外側へ傾斜するように設定することにより、人間工学的に天板３下の足入れ空間を広く、また心理的にも広く見せることができる。前記中間支脚４が傾斜していることにより、前記連結アーム１０を取付けて、前後の支脚１，１同士を連結杆１１の副パイプ１１Ｂを介して連結した際にも、前後の中間支脚４，４間に適度の空間が生じ、意匠的にも詰まった感じがなくなり、斬新なデザインの脚装置となる。
【００２６】
また、前記下支脚５の水平線Ｈ１に対する角度βを最適に設定し、前記中間支脚４の下端部若しくは前記下支脚５の後端部と床面Ｈ１との距離ｈが適度な値になるようにしている。図６に示すように、前記支脚１の下支脚５と上支脚６を、長方形の前記天板３の側縁に対して約４５度の角度に外向きに配置している。そして、前記天板３の長辺側又は短辺側に着座した際に、両足のつま先は若干開く方向に向くのが自然であり、つま先は足入れ空間の奥部で前記支脚１の下支脚５と交差するようになるが、前記距離ｈが適度な値をとるとき、つま先は前記下支脚５の後部下方に侵入するので干渉しない。
【００２７】
また、前記下支脚５の後部が床面から浮いているので、床面の適所から引き出した配線コードの引き回しが容易になる。例えば、５０ｃｍ四方のタイルカーペットを床面に敷いている場合には、配線コードの引き出し位置はタイルカーペットの角部にすることが多いが、この位置がテーブルの設置状態によっては、下支脚５の下方に隠れたり、下支脚５を横切って配線コードを引き回すこともあるが、そのような場合にも対応できる。
【符号の説明】
【００２８】
１  支脚
２  連結部材
３  天板
４  中間支脚
５  下支脚
６  上支脚
７  接地部
８  支持部
９  ビーム部材
１０  連結アーム
１１  連結杆
１１Ａ  主パイプ
１１Ｂ  副パイプ
Ｖ  鉛直線
Ｈ１  水平線（床面）
Ｈ２  水平線（天板）
α  鉛直線Ｖと中間支脚のなす角度
β  水平線Ｈ１と下支脚のなす角度
γ  水平線Ｈ２と上支脚のなす角度
δ  中間支脚と下支脚のなす角度
ｈ  水平線（床面）Ｈ１と中間支脚の下端との距離
【図１】
2014045866.tif 000003
【図２】
2014045866.tif 000004
【図３】
2014045866.tif 000005
【図４】
2014045866.tif 000006
【図５】
2014045866.tif 000007
【図６】
2014045866.tif 000008